(57)【要約】【課題】本発明は、簡単な施工で火災時における昇降路と乗場間の煙の貫流を防止できるエレベーター装置を提供することにある。【解決手段】本発明は、昇降路２と乗場３との間を連通する乗降口４を区画し両縦枠７Ａ，７Ｂと上枠８とを有する三方６枠と、前記乗場の昇降路側端に設けられた敷居９と、前記昇降路に面する側に吊下げられ前記敷居に案内されて前記三方枠で区画された乗降口を横方向に開閉する乗場ドア１０Ａ，１０Ｂとを備え、この乗場ドアが閉じたとき、前記乗場ドアのドア面と前記三方枠の両縦枠及び上枠の前記ドア面との対向面との隙間を連続して塞ぐ遮煙体１４を設置し、この遮煙体と対向する側に滑り部材２２〜２４を設けたのである。【選択図】  図１
2004196451.tif 000002
【特許請求の範囲】
【請求項１】
昇降路と乗場との間を連通する乗降口を区画し両縦枠と上枠とを有する三方枠と、前記乗場の昇降路側端に設けられた敷居と、前記昇降路に面する側に吊下げられ前記敷居に案内されて前記三方枠で区画された乗降口を横方向に開閉する乗場ドアと、この乗場ドアが閉じたとき前記三方枠の両縦枠と上枠に圧接するように前記乗場ドアに連続して取付けられた遮煙体と、前記乗場ドアが閉じたとき前記遮煙体と対向する前記三方枠の前記乗場ドアに面する側に設けられた滑り部材とを備えたことを特徴とするエレベーター装置。
【請求項２】
昇降路と乗場との間を連通する乗降口を区画し両縦枠と上枠とを有する三方枠と、前記乗場の昇降路側端に設けられた敷居と、前記昇降路に面する側に吊下げられ前記敷居に案内されて前記三方枠で区画された乗降口を横方向に開閉する乗場ドアと、この乗場ドアが閉じたとき前記三方枠の両縦枠及び上枠と前記乗場ドアとの隙間を塞ぐ遮煙体とを備えたエレベーター装置において、前記遮煙体は、乗場ドアが閉じたときに前記三方枠の両縦枠と上枠とに対向する乗場ドア側に連続して取付けられると共に、乗場ドアの開閉動作時に三方枠側に対して摺動するように取付けられており、かつ前記遮煙体と対向する前記三方枠側に滑り部材を設けたことを特徴とするエレベーター装置。
【請求項３】
前記遮煙体は、前記三方枠の上枠に対向する第１遮煙体と、前記縦枠に対向する第２遮煙体と、これら第１および第２遮煙体が交差する角部に取付けられ前記第１および第２遮煙体に連なる第３遮煙体とから構成されていることを特徴とする請求項１又は２記載のエレベーター装置。
【請求項４】
前記遮煙体は、複数の遮煙体を長手方向に連ねて構成されていることを特徴とする請求項１，２又は３記載のエレベーター装置。
【請求項５】
前記遮煙体は、流体を封入した密封室を有するゴム系弾性体によって形成されていることを特徴とする請求項１，２，３又は４記載のエレベーター装置。
【請求項６】
区画された昇降路と乗場との間を連通する乗降口と、この乗降口を区画し両縦枠と上枠とを有する三方枠と、前記乗場の昇降路側端に設けられた敷居と、前記昇降路に面する側に吊下げられ前記敷居に案内されて前記三方枠で区画された乗降口を横方向に開閉する乗場ドアと、この乗場ドアが閉じたとき前記三方枠の両縦枠及び上枠と前記乗場ドアとの隙間を塞ぐ遮煙体とを備えたエレベーター装置において、前記遮煙体は、前記三方枠の両縦枠と上枠とに対向する前記乗場ドアに連続して取付けられると共に、乗場ドアが閉じたとき、前記三方枠の両縦枠と上枠とに接触する三方枠側遮煙体と、前記乗場ドアの前記敷居に対向する位置に設けられ乗場ドアが閉じたとき両者間の隙間を塞ぐ敷居側遮煙体とからなり、前記乗場ドアの開閉時に前記三方枠側遮煙体及び敷居側遮煙体に対向する前記三方枠の前記乗場ドアに面する側及び前記敷居に滑り部材を設けたことを特徴とするエレベーター装置。
【請求項７】
昇降路と乗場との間を連通する乗降口を区画し両縦枠と上枠とを有する三方枠と、前記乗場の昇降路側端に設けられた敷居と、前記昇降路に面する側に吊下げられ前記敷居に案内されて前記三方枠で区画された乗降口を横方向に開閉する乗場ドアとを備え、この乗場ドアが閉じたとき、前記三方枠の両縦枠及び上枠とこれに対向する前記乗場ドアのドア面との隙間を連続して塞ぐ遮煙体を設け、この遮煙体と対向する側に滑り部材を設けたことを特徴とするエレベーター装置。
【請求項８】
昇降路と乗場との間を連通する乗降口を区画し両縦枠と上枠とを有する三方枠と、前記乗場の昇降路側端に設けられた敷居と、前記昇降路に面する側に吊下げられ前記敷居に案内されて前記三方枠で区画された乗降口を横方向に開閉する乗場ドアと、前記上枠の前記乗場ドアに対向する面に設けられた横方向遮煙体と、前記乗場ドアが閉じたとき、前記横方向遮煙体に接するように前記乗場ドアのドア面に設けられた横方向滑り部材と、前記縦枠の前記乗場ドアに対向する面に設けられた縦方向滑り部材と、前記乗場ドアが閉じたとき、前記縦方向滑り部材に接触すると共に前記横方向遮煙体の端部に接触するように前記乗場ドアのドア面に設けられた縦方向遮煙体とを備えたことを特徴とエレベーター装置。
【発明の詳細な説明】
【０００１】
【発明の属する技術分野】
本発明はエレベーター装置に係り、特に、火災時に昇降路と乗場間の煙の貫流を防止し得るエレベーター装置に関する。
【０００２】
【従来の技術】
一般に、火災時に昇降路と乗場間の煙の貫流を防止し得るエレベーター装置は、例えば特許文献１等で既に提案されている。
【０００３】
【特許文献１】特開平８−１６５０８１号公報（図１〜図３）
【発明が解決しようとする課題】
上記従来の技術によれば、火災時における昇降路と乗場間の煙の貫流を防止できるエレベーター装置を得ることができるが、遮煙体の施工が複雑で既設のエレベーター装置に適用するには既設のエレベーター装置を大幅に改修しなければならない問題がある。
【０００４】
本発明の目的は、簡単な施工で火災時における昇降路と乗場間の煙の貫流を防止できるエレベーター装置を提供することにある。
【０００５】
【課題を解決するための手段】
本発明は上記目的を達成するために、昇降路と乗場との間を連通する乗降口を区画し両縦枠と上枠とを有する三方枠と、前記乗場の昇降路側端に設けられた敷居と、前記昇降路に面する側に吊下げられ前記敷居に案内されて前記三方枠で区画された乗降口を横方向に開閉する乗場ドアとを備え、この乗場ドアが閉じたとき、前記乗場ドアのドア面と前記三方枠の両縦枠及び上枠の前記ドア面との対向面との隙間を連続して塞ぐ遮煙体を設置し、この遮煙体と対向する側に滑り部材を設けたのである。
【０００６】
上述のように、乗場ドアのドア面とこのドア面と対向する三方枠の対向面との隙間に遮煙体や滑り部材を設置するようにしたので、遮煙体や滑り部材の取付け施工は部品の追加のみで簡単に行うことができる。そのために、三方枠やドア形状を変えるなどの大幅な改修作業を必要とすることなく、既設のエレベーター装置へも遮煙体や滑り部材の取付けを簡単に行うことができる。
【０００７】
【発明の実施の形態】
以下本発明による第一の実施の形態を図１〜図５に基づいて説明する。エレベーター装置は、建築物１内を上下方向に貫通する周囲を壁で覆われた昇降路２と、建築物１の各階床に設けられた乗場３と、前記昇降路２と乗場３との間を連通する乗降口４と、前記昇降路２内をロープ等で吊下げられて昇降する乗かご５とを備えている。
【０００８】
前記乗降口４は、四角に開口しており、その両側縁と上縁との三方を意匠品である三方枠６で被っている。この三方枠６は、前記乗降口４の両側縁と上縁に沿う左右の縦枠７Ａ，７Ｂと上枠８とから構成されており、これらは断面がコの字状を有し、コ字状断面の開口を外側に向けて設置している。そして、前記三方枠６で囲まれていない乗場３の昇降路側端部には敷居９が設けられている。
【０００９】
また、三方枠６で囲まれた乗降口４は、昇降路２に面する側に吊下げられた乗場ドア１０で開閉される。この乗場ドア１０は、左右両開きの２枚の乗場ドア１０Ａ，１０Ｂからなり、各乗場ドア１０Ａ，１０Ｂは、その上部に軸支した吊り車１１を建築壁１Ｗに固定したガイドレール１２上に転動させることで、吊下げられている。そして左右の乗場ドア１０Ａ，１０Ｂは、前記乗かご５側からの動力によって左右方向に移動できるように構成されている。前記乗場ドア１０の下部には案内靴１３が固定され、この案内靴１３を前記敷居９の敷居溝９Ｇ内で摺動させることで、前記乗場ドア１０の下部を案内している。
【００１０】
上記構成において、前記乗場ドア１０が乗降口４を開閉するためには、乗場ドア１０と三方枠６との間に隙間Ｇ１，Ｇ２及び乗場ドア１０と敷居９との間に隙間Ｇ３を必要とする。しかし、これら隙間Ｇ１〜Ｇ３の存在が火災時の乗場３と昇降路２間に煙の貫流を生じさせることになる。
【００１１】
そこで、これら隙間Ｇ１〜Ｇ３からの煙の貫流をなくすために、本実施の形態においては、前記乗場ドア１０に、前記隙間Ｇ１〜Ｇ３を塞ぐ三方枠側遮煙体１４と敷居側遮煙体１５とを取付けている。
【００１２】
前記三方枠側遮煙体１４は、前記三方枠６の上枠８に対向する第１遮煙体１６と、前記三方枠６の縦枠７Ａ，７Ｂに対向する第２遮煙体１７，１８と、これら第１遮煙体１６と第２遮煙体１７，１８とが交差する角部に取付けられ前記第１および第２遮煙体に連なる第３遮煙体１９，２０とから構成されている。
【００１３】
第１遮煙体１６は、乗場ドア１０の上縁に内向きに取付けられた金属製の横板バネ１６Ａ，１６Ｂからなり、前記三方枠６の上枠８に接するように乗場ドア１０Ａ，１０Ｂのドア面側に突出させて取付けられている。
【００１４】
前記第２遮煙体１７，１８は、乗場ドア１０の戸袋側となる縦縁に外向きに取付けられた金属製の縦板バネ１７Ａ，１７Ｂ及び１８Ａ，１８Ｂからなり、前記三方枠６の縦枠７Ａ，７Ｂに接するように前記乗場ドア１０Ａ，１０Ｂのドア面側に突出させて取付けられている。
【００１５】
前記第３遮煙体１９，２０は、前記三方枠６の上枠８と縦枠７Ａ，７Ｂとが交差する部分に対向する前記乗場ドア１０Ａ，１０Ｂに取付けられる。そして第３遮煙体１９，２０は、前記横板バネ１６Ａ，１６Ｂに金属箔等を裏打ちして接続される横板バネ１９Ｈ，２０Ｈと、前記縦板バネ１７Ａ，１８Ａに金属箔等を裏打ちして接続される縦板バネ１９Ｖ，２０Ｖと、これら横板バネ１９Ｈ−縦板バネ１９Ｖ間及び横板バネ２０Ｈ−縦板バネ２０Ｖ間を接続する耐熱ゴムシート等の可撓性の防煙シート２１とを一体化して一ユニットとしている。
【００１６】
尚、横板バネ１９Ｈ−縦板バネ１９Ｖ間の防煙シート２１の一側は、図４に例示のように、横板バネ１９Ｈの端部縁１９ＨＥに隙間なく接続され、他側は、縦板バネ１９Ｖの縦枠７Ａに接する部分（図４において破線ハッチング部）を越えた自由端側１９ＶＦに隙間なく接続されると共に、縦板バネ１９Ｖの端部縁１９ＶＥに隙間なく接続される。他方、横板バネ２０Ｈ−縦板バネ２０Ｖ間の防煙シート２１も同様に接続されている。
【００１７】
これら各板バネ１６Ａ，１６Ｂ，１７Ａ，１７Ｂ，１８Ａ，１８Ｂ，１９Ｈ，１９Ｖ，２０Ｈ，２０Ｖは、乗場ドア１０が閉じたときに前記三方枠６の縦面に適当な押圧力によって接触するような弾性力を有する。このように各板バネが三方枠６の縦枠７Ａ，７Ｂと上枠８に接触することにより、乗場ドア１０が閉じたときに、三方枠側遮煙体１４には、三方枠６との接触部が図４に破線ハッチングで示すように連続して形成される。
【００１８】
一方、前記敷居側遮煙体１５は、乗場ドア１０Ａ，１０Ｂの下部に夫々取付けられ、前記敷居溝９Ｇの縦面に適当な押圧力によって接する横板バネ１５Ａ，１５Ｂを有する。これらの横板バネ１５Ａ，１５Ｂは、乗場ドア１０Ａ，１０Ｂの下部に乗場ドアの幅方向に連なる取付け具１０Ｐを介して取付けられている。したがって、この取付け具１０Ｐと横板バネ１５Ａ，１５Ｂによって、乗場ドア１０Ａ，１０Ｂと敷居９との隙間Ｇ３は塞がれる。
【００１９】
このように乗場ドア１０Ａ，１０Ｂの上下及び戸袋側には複数の板バネが取付けられているので、乗場ドアが閉じたときに三方枠６や敷居９との隙間は塞がれている。しかし、乗場ドア１０Ａ，１０Ｂが突き合わさる戸当たり部、戸当たり側の横板バネ１６Ａ−１６Ｂ間及び１５Ａ−１５Ｂ間、さらには縦板バネ１７Ｂ−横板バネ１５Ａ間及び縦板バネ１７Ｂ−横板バネ１５Ｂ間には、隙間や板バネの不連続部が存在する。したがって、乗場ドア１０Ａ，１０Ｂが突き合わさる戸当たり部には、遮煙体となる戸当たりゴム１０ａ，１０ｂがドアの全高に亘って夫々設けられている。また、戸当たり側の横板バネ１６Ａ−１６Ｂ間及び１５Ａ−１５Ｂ間には、これら板バネに接し前記戸当たりゴム１０ａ，１０ｂに連なり、遮煙体となる戸当たりゴム１６ａ，１６ｂ及び１５ａ，１５ｂが設けられている。さらに、縦板バネ１７Ｂ−横板バネ１５Ａ間及び縦板バネ１７Ｂ−横板バネ１５Ｂ間にも、これら板バネに連なり、遮煙体となるゴム材あるいは不織布又は同等な材料からなる塞ぎ体１７ｂ，１８ｂが設けられている。
【００２０】
上述のように、乗場ドア１０Ａ，１０Ｂと三方枠６との隙間Ｇ１，Ｇ２及び乗場ドア１０Ａ，１０Ｂと敷居９との隙間Ｇ３、さらには、乗場ドア１０Ａ，１０Ｂの戸当たり側が塞がれるので、仮に建築物１が火災に見舞われても、煙が昇降路２と乗場３間を貫流するようなことは防止することができる。
【００２１】
また、乗場ドア１０Ａ，１０Ｂと三方枠６との隙間Ｇ１，Ｇ２及び乗場ドア１０Ａ，１０Ｂと敷居９との隙間Ｇ３を塞ぐ各板バネは、ネジＮ等でドア面側に突出するように取付けるだけなので、新設や既設を問わず乗場ドアに簡単に取付けることができる。
【００２２】
さらに、第１遮煙体１６と第２遮煙体１７，１８とが交差する角部に取付けられる第３遮煙体１９，２０は、ユニット化されているので、エレベーター装置の据付け現場での組立作業も簡単に行うことができる。
【００２３】
ところで、各板バネは、乗場ドア１０Ａ，１０Ｂが閉じているときは、三方枠６や敷居９に押付けられている。そのため、乗場ドア１０Ａ，１０Ｂの開閉時に、縦板バネ１７Ａ，１７Ｂ，１８Ａ，１８Ｂ及び１９Ｖ，２０Ｖは開閉の僅かな時間、縦枠７Ａ，７Ｂと摺動し、横板バネ１６Ａ，１６Ｂ，１９Ｈ，２０Ｈ及び１５Ａ，１５Ｂは、上枠８及び敷居９と開閉動作中、摺動することになる。その結果、乗場ドア１０Ａ，１０Ｂの開閉時に金属同士の摺動音が発生する。
【００２４】
この摺動音を低減させ、各板バネの摺動を円滑にするために、各板バネが摺動する三方枠６の縦枠７Ａ，７Ｂと上枠８及び敷居９の敷居溝９Ｇの縦面に、例えば合成樹脂製の板からなる滑り部材２２〜２４を周知の手段で取付けて固定するのである。これら滑り部材２２〜２４は、合成樹脂製の板の代わりに合成樹脂製のテープを用いてもよく、さらには、低摩擦となる合成樹脂を塗布や吹付け、あるいは焼付けて設けるようにしてもよい。
【００２５】
ところで、上記実施の形態においては、図４に示すように、前記縦板バネ１７Ａ，１７Ｂ，１８Ａ，１８Ｂ及び１９Ｖ，２０Ｖは、横板バネ１６Ａ，１６Ｂ，１９Ｈ，２０Ｈに対して外向きとなるように乗場ドア１０Ａ，１０Ｂに取付けられている、しかし、図６に示す第二の実施の形態のように、例えば前記縦板バネ１７Ａ，１９Ｖも横板バネ１６Ａ，１９Ｈと同じように、内向きに取付けることもできる。そのとき、縦板バネ１９Ｖと横板バネ１９Ｈ間を接続して塞ぐ防煙シート２１は隣接する板バネの断面形状に合わせた形状をしている。
【００２６】
さらに、乗場ドア１０Ａ，１０Ｂの下端と敷居９間の隙間を塞ぐために敷居溝９Ｇ内を摺動する横板バネ１５Ａ，１５Ｂを設けたが、敷居９の表面を摺動する板バネやそれに代わる遮煙体を乗場ドア１０Ａ，１０Ｂの下端面に取付けるようにしても良い。
【００２７】
上記第一及び第二の実施の形態は、乗場ドア１０として、両開き２枚ドアについて説明したが、図７に示す第三の実施の形態である片開き２枚ドアにも本発明が適用できるのは云うまでもない。
【００２８】
即ち、第三の実施の形態と前記第一の実施の形態と基本的に異なる構成は、乗場ドア２５が閉じたときの戸当たり側に位置する第一の乗場ドア２５Ａと戸袋側に位置する第二の乗場ドア２５Ｂ間の遮煙構成と、両乗場ドア２５Ａ，２５Ｂと三方枠２６の上枠２９との隙間の閉鎖構造である。
【００２９】
具体的に説明すると、三方枠２６は、戸袋側縦枠２７と戸当たり側縦枠２８とこれらを上部で連結する上枠２９とで構成されている。そして、戸当たり側縦枠２８は、平面的に見て、戸袋側縦枠２７と２枚の乗場ドア２５Ａ，２５Ｂの厚さとドア開閉時に必要な空間を含めた奥行き寸法を有する。また、戸袋側縦枠２７は第一の実施の形態と同じ形状である。さらに、上枠２９は、戸袋側の乗場ドア２５Ｂがドア閉じ時に戸当たり側へ移動しないように、段差部２９Ｄを設けている。
【００３０】
上記構成において、第一の乗場ドア２５Ａの縦枠２８との隙間は第一及び第二の実施の形態と同様に戸当たりゴム２５ａ等で塞がれ、第二の乗場ドア２５Ｂの戸袋側と縦枠２７との隙間も第一及び第二の実施の形態と同じように縦板バネ３０で塞いでいる。そして第一の乗場ドア２５Ａと第二の乗場ドア２５Ｂとの隙間は、例えば第一の乗場ドア２５Ａの戸袋側に取付けた縦板バネ３１を第二の乗場ドア２５Ｂに押圧させることで塞いでいる。さらに、第一及び第二の乗場ドア２５Ａ，２５Ｂと上枠２９との隙間も第一の実施の形態と同じような手段で塞ぐことができる。尚、図７において、符号３２は、上枠２９の段差部２９Ｄに設けた第二の乗場ドア２５Ｂ用の戸当たりゴムである。
【００３１】
このような、本実施の形態においても、多少の部品を追加することにより、簡単に片開き２枚ドアに適用することができ、第一及び第二の実施の形態と同等の効果を奏することができる。
【００３２】
図８〜図１１は第四の実施の形態を示すもので、具体的に説明すると、昇降路と乗場間を連通する乗降口の周縁に配置した三方枠３５は、断面コ字状の開口部を外向きに配置した左右の縦枠３６と上枠３７とを有している。そして、乗場ドア３８の上端部には、前記三方枠３５の上枠３７に対向する第１遮煙体４０が取付けられ、前記三方枠３５の縦枠３６に対向する乗場ドア３８の戸袋側端部には第２遮煙体３９が取付けられている。これら第１遮煙体４０と第２遮煙体３９とが交差する乗場ドア３８の戸袋側上方角部には前記第１遮煙体４０及び第２遮煙体３９に連なる第３遮煙体４１が取付けられている。
【００３３】
第１遮煙体４０は、断面Ｌ字状をなし、その一辺を乗場ドア３８の上部にビスなどで固定し、他端を乗場ドア３８のドア面よりも突出させた位置で下方に垂下させている。そして、この垂下端は上向きに開口する前記上枠３７内に臨み、上枠３７の昇降路２側に位置する端部３７Ｅよりも下方に位置し、水平方向から見て垂下端と端部３７Ｅとが重なるようにしている。
【００３４】
第２遮煙体３９は、両脚の長さが異なる断面コ字状をなし、その長脚部の先端を直角に折曲げ、その折曲げ部を乗場ドア３８の戸袋側端に取付けて高さ方向に沿って設置している。短脚部は乗場ドア３８のドア面よりも突出させた位置で外向きに開口する前記縦枠３６内に臨ませ、その端部を縦枠３６の昇降路２側に位置する端部３６Ｅよりも乗場ドア３８側に接近させている。このように設置させることで、水平方向から見て短脚部の端部と縦枠３６の端部３６Ｅとが重なるようにしている。
【００３５】
第３遮煙体４１は、前記第１遮煙体４０と同じ断面形状をなす水平部４１Ｈと、前記第２遮煙体３９と同じ断面形状をなす垂直部４１Ｖとを一体化してユニット化している。水平部４１Ｈは前記第１遮煙体４０に連なる断面Ｌ字状をなし、その一辺を乗場ドア３８の上部にビスなどで固定し、他端を乗場ドア３８のドア面よりも突出させた位置で下方に垂下させている。そして、この垂下端４１ＨＥは上向きに開口する前記上枠３７内に臨ませ、この上枠３７の昇降路２側に位置する端部３７Ｅよりも下方に位置させている。このように設置することで、水平方向から見て垂下端４１ＨＥと端部３７Ｅとが重なるようにしている。垂直部４１Ｖは両脚の長さが異なる断面コ字状をなし、その長脚部の先端を直角に折曲げ、その折曲げ部を乗場ドア３８の戸袋側端に取付けることで、前記第２遮煙体３９に連ねている。そして短脚部は乗場ドア３８のドア面よりも突出させた位置で外向きに開口する前記縦枠３６内に臨ませ、その端部４１ＶＥを縦枠３６の昇降路２側に位置する端部３６Ｅよりも乗場ドア３８側に接近させている。このように設置させることで、水平方向から見て短脚部の端部と縦枠３６の端部３６Ｅとが重なるようにしている。尚、乗場ドア３８の両側縁と上縁は、乗場ドア３８の背面から見て、前記三方枠３５の縦枠３６及び上枠３７に重なっており、両者間には前述の隙間が存在することは云うまでもない。
【００３６】
このような第３遮煙体４１の水平部４１Ｈの戸袋側端と、垂直部４１Ｖの上端とには、夫々の端部を塞ぐ遮煙布あるいは耐火ゴム等からなる遮煙体４２，４３が設けられている。遮煙体４２には、乗場ドア３８の開閉時に上枠３７の端部３７Ｅ側脚部と縦枠３６の端部３６Ｅ側客部を通過させる切込み４２Ｋ１と、上枠３７のコ字状底部を通過させる切込み４２Ｋ２を設け、遮煙体４３には、縦枠３６の端部３６Ｅ側客部を通過させる切込み４３Ｋを設けている。
【００３７】
これら切込み４２Ｋ１，４２Ｋ２，４３Ｋは、前記縦枠３６や上枠３７と摺動するように構成され、かつ前記切込み４２Ｋ１，４２Ｋ２，４３Ｋと摺動する前記縦枠３６や上枠３７には、図示は省略するが、滑り部材を、例えば塗布や吹付け、あるいは焼付け等によって設けている。
【００３８】
本実施の形態において、それ以外の戸当たり側及び敷居との隙間についての遮煙構成は第一及び第二の実施の形態と同じである。
【００３９】
この実施の形態においても第一乃至第三の実施の形態と同様な効果を奏することができる。
【００４０】
図１２〜図１４は第五の実施の形態を示す。
【００４１】
本実施の形態は、両開き２枚ドアを構成する乗場ドア４５Ａ，４５Ｂの三方枠４６（縦枠４７，上枠４８）及び敷居４９に対向するドア縁部に、遮煙体となる耐熱ゴム５０〜５２を連続して取付けたのである。このように構成することで、乗場ドア４５Ａ，４５Ｂが閉じたとき、耐熱ゴム５０〜５２の弾性力を利用して乗場ドア４５Ａ，４５Ｂと三方枠４６（縦枠４７，上枠４８）間の隙間及び乗場ドア４５Ａ，４５Ｂと敷居４９間の隙間を塞ぐようにしたものである。そして、乗場ドア４５Ａ，４５Ｂが閉じたとき、耐熱ゴム５０〜５２と対向する三方枠４６（縦枠４７，上枠４８）及び敷居４９に滑り部材５３を取付けて乗場ドア４５Ａ，４５Ｂの開閉動作を円滑にすると共に、開閉時の摺動音を低下させている。
【００４２】
本実施の形態においても乗場ドアの改修は必要なく、したがって、既設のエレベーター装置に対して簡単に遮煙機構を施工することができる。
【００４３】
図１５は第五の実施の形態を変形した第六の実施の形態を示す。
【００４４】
本実施の形態に用いる遮煙体５７は、第五の実施の形態の耐熱ゴムとほぼ同じゴム系弾性体で形成されており、気体や液体等の流体を密封した密封室５８を備えている。このような遮煙体５７を、乗場ドア５５が閉じたとき、例えば三方枠５６と対向する乗場ドア５５のドア面に、周知の手段により連続して取付けるのである。そして、遮煙体５７と対向する三方枠５６側には滑り部材５９を取付けるのである。
【００４５】
上記構成とすることにより、上記各実施の形態と同等の効果を奏することができるのは勿論のこと、三方枠５６と乗場ドア５５間の気密性をさらに高めることができるのである。即ち、遮煙体５７の密封室５８内に熱膨張係数が大きな流体を封入することにより、例えば火災時に周辺の温度が上昇した場合、封入された流体が熱膨張して遮煙体５７を膨らませ、三方枠５６と乗場ドア５５間の隙間を塞ぐ圧力を高めるので、三方枠５６と乗場ドア５５間の気密性を向上させることができるのである。
【００４６】
図１６及び図１７は第七の実施の形態を示すもので、三方枠の上枠６０及び縦枠６１と対向する乗場ドア５５のドア面に、遮煙体となる例えばポリアミド繊維から成る耐熱不織布６２，６４を周知の手段で連続して取付け、対向する上枠６０及び縦枠６１に滑り部材６３，６５を取付けたのである。
【００４７】
上記耐熱不織布６２，６４は、乗場ドア５５と上枠６０の間及び乗場ドア５５と縦枠６１の間に位置するときは圧縮された状態にあり、図１７に示すように、乗場ドア５５が矢印方向に開いて乗場ドア５５の戸袋側が縦枠６１から離れると繊維の弾性によって全体が元の状態に膨らむ。このとき、不織布６４の表面にポリアミドフィルムで被っておけば滑り部材６５との摺動をさらに円滑にすることができる。
【００４８】
本実施の形態においても上記各実施の形態と同等の効果を奏することができる。
【００４９】
ところで、上記各実施の形態においては、全て乗場ドア側に遮煙体を連続して取付けている。その理由は、遮煙体を隙間なく連続して取付けるのには、一方側に遮煙体を取付けるのが最も施工が簡単だからである。しかし、乗場ドアや三方枠等を改修せずに遮煙体の付加だけで火災時の煙の貫流を防止する構成としては、図１８〜図２１に示す第八の実施の形態でも実現可能である。
【００５０】
本実施の形態は、乗場ドア６６が閉じているときに、乗場ドア６６の三方枠６７の縦枠６８と対向するドア面に、例えば流体を封入した密封室を有する耐熱ゴム系の縦遮煙体７０を取付け、三方枠６７を構成する上枠６９の乗場ドア６６の上縁に対向する面に、同様な耐熱ゴム系の横遮煙体７１を取付けたのである。そして、縦遮煙体７０の上端には、横遮煙体７１の端部に対向する上向きの段差部７０Ｄを形成し、この段差部７０Ｄと対向する横遮煙体７１の端部には、下向きの段差部７１Ｄを形成することで、乗場ドア６６が閉じているとき、これら段差部７０Ｄ，７１Ｄが互いに押圧するように重なるので、縦遮煙体７０と横遮煙体７１とは連続した遮煙体を形成するのである。
【００５１】
一方、乗場ドア６６が閉じているとき、縦枠６８の縦遮煙体７０と対向する面には既述の滑り部材７２を設け、また、乗場ドア６６の横遮煙体７１と対向するドア面側にも同様な滑り部材７３を設けることにより、乗場ドア６６の開閉時の縦遮煙体７０及び横遮煙体７１の摺動音を低減させると共に摺動を円滑にすることができる。
【００５２】
尚、乗場ドア６６の戸当たり側の遮煙及び乗場ドア６６と敷居との間の遮煙については、前述の実施の形態のいずれかと同じ構成とすることにより達成することができる。
【００５３】
本実施の形態においても、乗場ドア６６や三方枠６７に特別な細工を施すことなく、乗場ドア６６と三方枠６７間を塞ぐことができ、火災時の煙の貫流を防止することができる。
【００５４】
【発明の効果】
以上説明したように本発明によれば、簡単な施工で火災時における昇降路と乗場間の煙の貫流を防止できるエレベーター装置を得ることができる。
【図面の簡単な説明】
【図１】本発明によるエレベーター装置の第一の実施の形態を示す乗場ドアの背面図。
【図２】図１のＡ−Ａ線に沿う拡大横断面図。
【図３】図１のＢ−Ｂ線に沿う拡大縦断面図。
【図４】図１の乗場ドアの戸袋側上部を示す拡大斜視図。
【図５】本発明によるエレベーター装置を示す概略縦断側面図。
【図６】本発明によるエレベーター装置の第二実施の形態を示す図４相当図。
【図７】本発明によるエレベーター装置の第三実施の形態を示す２枚戸片開きの乗場ドアの横断面図。
【図８】本発明によるエレベーター装置の第四実施の形態を示す乗場ドアの戸袋側上部を示す拡大斜視図。
【図９】図８のａ矢印方向より見た図。
【図１０】図８のｂ矢印方向より見た図。
【図１１】図８の遮煙体を示す斜視図。
【図１２】本発明によるエレベーター装置の第五の実施の形態を示す２枚戸両開きの乗場ドアの斜視図。
【図１３】図１２の乗場ドアの設置状態を示す縦断概略側面図。
【図１４】図１３のＣ−Ｃ線に沿う横断拡大図。
【図１５】本発明によるエレベーター装置の第六の実施の形態を示す乗場ドアと三方枠の縦断拡大側面図。
【図１６】本発明によるエレベーター装置の第七の実施の形態を示す乗場ドアと三方枠の上枠の縦断側面図。
【図１７】本発明による第七の実施の形態の乗場ドアと三方枠の縦枠を示す横断平面図。
【図１８】本発明によるエレベーター装置の第八の実施の形態を示す乗場ドアと三方枠の分離斜視図。
【図１９】図１８の乗場ドアと三方枠との間隔を正常にした閉じ動作途中を示す平面図。
【図２０】図１９の左側面図。
【図２１】図２０の乗場ドアと三方枠を分離した状態を示す説明図。
【符号の説明】
１…建築物、２…昇降路、３…乗場、４…乗降口、６，２６，３５，４６，６７…三方枠、７Ａ，７Ｂ，２７，２８，３６，４７，６１，６８…縦枠、８，２９，３７，４８，５６，６０，６９…上枠、９，４９…敷居、１０Ａ，１０Ｂ，２５(２５Ａ，２５Ｂ)，３８，４５Ａ，４５Ｂ，５５，６６…乗場ドア、１４〜２０，３９〜４１，５７，７０，７１…遮煙体、２２〜２４，３１，５３，５９，６３，６５，７２，７３…滑り部材。
【図１】
2004196451.tif 000003
【図２】
2004196451.tif 000004
【図３】
2004196451.tif 000005
【図４】
2004196451.tif 000006
【図５】
2004196451.tif 000007
【図６】
2004196451.tif 000008
【図７】
2004196451.tif 000009
【図８】
2004196451.tif 000010
【図９】
2004196451.tif 000011
【図１０】
2004196451.tif 000012
【図１１】
2004196451.tif 000013
【図１２】
2004196451.tif 000014
【図１３】
2004196451.tif 000015
【図１４】
2004196451.tif 000016
【図１５】
2004196451.tif 000017
【図１６】
2004196451.tif 000018
【図１７】
2004196451.tif 000019
【図１８】
2004196451.tif 000020
【図１９】
2004196451.tif 000021
【図２０】
2004196451.tif 000022
【図２１】
2004196451.tif 000023